(57)【要約】【課題】通信干渉を抑制すると共に、利便性を高めることができる自動改札機、およびプログラムを提供することである。【解決手段】実施形態の自動改札機は、通信部と、光学読取部と、制御部とを持つ。通信部は、利用者によって翳された第１媒体または第２媒体と通信する。光学読取部は、利用者によって翳された前記第１媒体から情報を光学的に読み取る。制御部は、前記通信部によって取得された情報に基づいて、利用者の通過可否を判定する。また、通信部は、前記光学読取部により情報が読み取られたとき、前記第２媒体との通信を試行する第１の状態から、前記第１媒体との通信を試行する第２の状態に移行する。【選択図】図４
2019067094.tif 000002
【特許請求の範囲】
【請求項１】
利用者によって翳された第１媒体または第２媒体と通信する通信部と、
利用者によって翳された前記第１媒体から情報を光学的に読み取る光学読取部と、
前記通信部によって取得された情報に基づいて、利用者の通過可否を判定する制御部と、を備え、
前記通信部は、前記光学読取部により情報が読み取られたとき、前記第２媒体との通信を試行する第１の状態から、前記第１媒体との通信を試行する第２の状態に移行する、
自動改札機。
【請求項２】
前記通信部は、同じ周波数帯で前記第１媒体および前記第２媒体と通信する、
請求項１記載の自動改札機。
【請求項３】
前記通信部は、前記第１の状態において、前記光学読取部により読み取られた前記第１媒体の識別情報を指定して通信を試行する、
請求項１または２記載の自動改札機。
【請求項４】
前記通信部は、それぞれのアンテナに接続された第１通信部と第２通信部を含み、
前記第１通信部が、前記第１媒体と通信し、
前記第２通信部が、前記第２媒体と通信し、
前記光学読取部は、前記第１通信部が接続されたアンテナと重畳して設けられている、
請求項１から３のうちいずれか１項に記載の自動改札機。
【請求項５】
前記通信部は、アンテナを共有する第１通信部と第２通信部を含み、
前記第１通信部が、前記第１媒体と通信し、
前記第２通信部が、前記第２媒体と通信し、
前記光学読取部は、前記アンテナと重畳して設けられている、
請求項１から３のうちいずれか１項に記載の自動改札機。
【請求項６】
コンピュータに、
利用者によって翳された第１媒体から情報を光学読取部から光学的に読み取らせ、
利用者によって翳された第１媒体または第２媒体と通信する通信部によって、取得された情報に基づいて、利用者の通過可否を判定させ、
更に前記光学読取部により情報が読み取られたとき、前記第２媒体との通信を試行する第１の状態から、前記第１媒体との通信を試行する第２の状態に移行させる、
プログラム。
【発明の詳細な説明】
【技術分野】
【０００１】
本発明の実施形態は、自動改札機、およびプログラムに関する。
【背景技術】
【０００２】
従来、マンチェスタ（Manchester）符号を採用したＦｅｌｉＣａ（登録商標）方式のＩＣカードが、鉄道の乗車券等の利用券として利用されている。
【０００３】
これに対し近年、紙基材に安価な無線通信機や記憶装置を漉き込んだ利用券について研究および実用化が進められている。この種の利用券では、利用券の効力を示す情報をコード化して表面に印刷される場合がある。
【０００４】
ここで、上記の異なる種類の利用券を、同じ自動改札機で扱うことも想定される。この場合において、それぞれの利用券の通信帯域が異なっていれば、通信干渉による不具合は、ある程度抑制されることが期待される。しかしながら、それぞれの利用券が同じ通信帯域で通信する場合、通信干渉が生じるおそれがある。
【先行技術文献】
【特許文献】
【０００５】
【特許文献１】特開２０１７−１６７６３２号公報
【発明の概要】
【発明が解決しようとする課題】
【０００６】
本発明が解決しようとする課題は、通信干渉を抑制すると共に、利便性を高めることができる自動改札機、およびプログラムを提供することである。
【課題を解決するための手段】
【０００７】
実施形態の自動改札機は、通信部と、光学読取部と、制御部とを持つ。通信部は、利用者によって翳された第１媒体または第２媒体と通信する。光学読取部は、利用者によって翳された前記第１媒体から情報を光学的に読み取る。制御部は、前記通信部によって取得された情報に基づいて、利用者の通過可否を判定する。また、通信部は、前記光学読取部により情報が読み取られたとき、前記第２媒体との通信を試行する第１の状態から、前記第１媒体との通信を試行する第２の状態に移行する。
【図面の簡単な説明】
【０００８】
【図１】第１媒体Ｍ１と第２媒体Ｍ２とを比較して示す図。
【図２】第１実施形態の自動改札機１００の外観構成を示す図。
【図３】図２の矢印Ｙ方向から見たリーダライタ１３０Ａおよび１３０Ｂの内部構成図。
【図４】制御部１５０の機能構成図。
【図５】第１の実施形態の自動改札機１００により実行される処理の流れを示すフローチャート。
【図６】第２実施形態の自動改札機１００Ａの外観構成を示す図。
【図７】図６の矢印Ｙ方向から見たリーダライタ１３０Ｃの内部構成図。
【発明を実施するための形態】
【０００９】
以下、実施形態の自動改札機、およびプログラムを、図面を参照して説明する。実施形態の自動改札機は、鉄道の駅や、空港、イベント会場等、乗車券や入場券、利用券等を必要とする施設の入場口や、出場口等に設けられ、利用者の通過の可否を判断し、扉等の通行阻止手段を制御するものである。実施形態では、一例として、自動改札機は駅に設置され、第１媒体と第２媒体とは乗車券であるものとして説明する。
【００１０】
（第１の実施形態）
［媒体］
図１は、第１媒体Ｍ１と第２媒体Ｍ２とを比較して示す図である。第１媒体Ｍ１は、通信機能を有すると共に、コード情報が印刷された券である。第２媒体Ｍ２は、通信機能を有する媒体である。コード情報とは、何らかの情報が符号化され、バーコードや、二次元コードＣＤ（一例としてＱＲコード（登録商標））として表示された情報である。符号化とは、人が情報の内容を直接認識できない状態に、情報を変換することをいう。コード情報は、人が視認して、その位置を認識することができる状態で第１媒体Ｍ１に印刷される。以下の説明では、コード情報として二次元コードＣＤが用いられているものとする。
【００１１】
第１媒体Ｍ１は、例えば、基材１０と、チップ２０と、アンテナ３０とを備える。基材１０には、例えば、二次元コードＣＤが印刷されている。二次元コードＣＤは、「画像」の一例である。二次元コードＣＤには、例えば、第１媒体Ｍ１の識別情報（以下、第１媒体ＩＤ）、および第１媒体Ｍ１の効力情報（利用可能区間等）が符号化（エンコード）されている。効力情報とは、乗車券の効力を示す情報であり、例えば、Ａ駅からＢ駅までの区間で乗車できる、或いはＡ駅から○○円まで乗車できる、××区間内で乗車できるといった利用可能区間情報、乗車可能日付等の情報を含む。また、二次元コードＣＤには、第１媒体ＩＤのみが符号化されていてもよい。二次元コードＣＤは、例えば、第１媒体Ｍ１が発券されるときに発券機により生成されて、基材１０に印刷される。なお、二次元コードＣＤやバーコード等は、基材１０に直接印刷されるのではなく、それらが印刷されたシール等が基材１０に貼り付けられることで第１媒体Ｍ１に付与されてもよい。
【００１２】
チップ２０は、例えば、基材１０の外部に露出せずに内部に埋め込まれたパッシブタイプのＩＣ（Integrated Circuit）チップである。チップ２０は、「第１媒体通信部」の一例である。なお、チップ２０は外部に露出していてもよい。チップ２０は、ＲＦＩＤ（Radio Frequency IDentifier）技術によって、後述する自動改札機１００との間で情報を送受信する。チップ２０は、例えば、ＨＦ帯（短波帯；１３．５６ＭＨｚ帯）の電波を用いて自動改札機１００と通信する。チップ２０は、自動改札機１００により送信されたコマンド（信号）に応答して情報を送信する、コマンドレスポンス方式に基づいて処理を実行する。
【００１３】
チップ２０は、例えば、送受信部２２、制御回路２４、記憶部２６等を備える。送受信部２２は、自動改札機１００により送信された電波から駆動用電力を取り出したり、電波に含まれる情報を復調したりする。送受信部２２は、復調した情報を制御回路２４に出力する。また、送受信部２２は、情報を重畳するための電波を生成し、生成した電波に情報を重畳する。
【００１４】
制御回路２４は、自動改札機１００により送信されたコマンドの内容に応じて、記憶部２６に情報を書き込んだり、記憶部２６に書き込まれた情報を読み出したりする。また、制御回路２４は、送受信部２２およびアンテナ３０を用いて、記憶部２６に記憶された情報を読み出し、読み出した情報を自動改札機１００に送信する。
【００１５】
記憶部２６には、制御回路２４がプロセッサである場合に実行されるプログラム、および、例えば二次元コードＣＤに符号化された情報と同一の識別情報である第１媒体ＩＤが記憶されている。第１媒体ＩＤは、第１媒体Ｍ１が発券されるときに発券機（不図示）により記憶部２６に書き込まれる。また、記憶部２６には、上述した効力情報が書き込まれていてもよい。この場合、二次元コードＣＤには、第１媒体ＩＤのみが符号化される。また、記憶部２６には、利用者が自動改札機１００を通過するごとに、自動改札機１００によって事後的に、自動改札機１００を通過したことを示す情報等が書き込まれる。アンテナ３０は、後述する第２媒体Ｍ２のアンテナ６０が有するアンテナに比して指向性が高いアンテナである。アンテナ３０は、例えば、ダイポールアンテナである。
【００１６】
第２媒体Ｍ２は、例えば、基材４０と、チップ５０と、アンテナ６０とを備える。チップ５０は、例えば、基材４０の外部に露出せずに内部に埋め込まれたパッシブタイプのＩＣチップである。チップ５０は、「第２媒体通信部」の一例である。チップ２０は、ＲＦＩＤ技術によって、後述する自動改札機１００との間で情報を送受信する。チップ５０は、例えば、ＨＦ帯の電波を用いて、自動改札機１００と通信する。チップ５０は、自動改札機１００により送信されたコマンドに応答して、情報を送信するコマンドレスポンス方式に基づいて処理を実行する。
【００１７】
チップ５０は、例えば、送受信部５２、制御回路５４、記憶部５６等を備える。第２媒体Ｍ２のチップ５０の送受信部５２、制御回路５４、および記憶部５６の構成および機能については、第２媒体Ｍ２のチップ２０の送受信部２２、制御回路２４、および記憶部２６の構成および機能と同様（方式や性能に差異があってもよい）であるため説明を省略する。
【００１８】
記憶部５６は、例えば、記憶部２６に比して記憶容量が大きい記憶部である。記憶部５６には、例えば第２媒体Ｍ２の識別情報、および第２媒体Ｍ２の乗車券としての効力情報（例えば、電子マネーの残高や、定期券としての有効区間、有効期限等）が記憶されている。これらの情報は、第２媒体Ｍ２が発券されるときに発券機により書込まれる情報である。また、記憶部５６には、利用者が自動改札機１００を通過するごとに、自動改札機１００によって事後的に、自動改札機１００を通過したことを示す情報等情報が書き込まれる。アンテナ６０は、例えば、コイル状のループアンテナである。
【００１９】
［自動改札機］
図２は、第１実施形態の自動改札機１００の外観構成を示す図である。自動改札機１００は、例えば、表示部１１０と、扉部１２０と、リーダライタ１３０Ａおよび１３０Ｂとを備える。自動改札機１００は、図中、Ａ方向への利用者の通過を制御する。表示部１１０は、各種情報を表示する。扉部１２０は、第１媒体Ｍ１または第２媒体Ｍ２に対して行われた処理の結果に応じて開放状態または閉止状態に制御される。
【００２０】
リーダライタ１３０Ａおよび１３０Ｂには、対象領域Ａｔｇｔ１およびＡｔｇｔ２が設けられる。対象領域Ａｔｇｔ１は、二次元コードＣＤに符号化された情報が取得される取得可能領域、および、リーダライタ１３０Ａと第１媒体Ｍ１とが通信できる通信可能領域に包含されるように設けられる。対象領域Ａｔｇｔ２は、リーダライタ１３０Ｂと第１媒体Ｍ１とが通信できる通信可能領域に包含されるように設けられる。対象領域Ａｔｇｔ１およびＡｔｇｔ２には、例えば、媒体を翳すことを促す情報が表示されていたり、他の領域と区別されるように色彩や模様が付与されていたりする。また、対象領域Ａｔｇｔ１およびＡｔｇｔ２は、他の領域とは異なる高さで（他の領域に比して突出するように）形成されもよいし、照明部が設けられ、その照明部が点灯または点滅してもよい。このように、対象領域Ａｔｇｔ１およびＡｔｇｔ２が他の領域と区別可能に設けられるため、利用者は視認して媒体を翳す領域を認識することができる。
【００２１】
また、利用者が、対象領域Ａｔｇｔ１に第１媒体Ｍ１を近づけると、リーダライタ１３０Ａと第１媒体Ｍ１とが通信し、対象領域Ａｔｇｔ２に第２媒体Ｍ２を近づけると、リーダライタ１３０Ｂと第２媒体Ｍ２とが通信する。また、第１媒体Ｍ１または第２媒体Ｍ２との通信により利用者の自動改札機１００の通過可否が判定される。
【００２２】
図３は、図２の矢印Ｙ方向から見たリーダライタ１３０Ａおよび１３０Ｂの内部構成図である。リーダライタ１３０Ａは、例えば、第１アンテナ１３２と、第１通信部１３６と、第２通信部１３８と、カメラ（撮像部）１４０と、ライト１４２とを備える。カメラ１４０、ライト１４２、および後述する認識部１５２を合わせたものは、「光学読取部」の一例である。以下、認識部１５２、カメラ１４０、およびライト１４２を総称して光学読取部と表記する場合がある。
【００２３】
第１アンテナ１３２は、例えば、コイル状のループアンテナである。第１アンテナ１３２は、第１媒体Ｍ１のチップ２０に対してＨＦ帯の周波数帯を有する電波を発信することで非接触給電を行うと共に、その電波を用いて第１媒体Ｍ１のチップ２０と無線通信を行う。
【００２４】
第１通信部１３６は、コントローラや、変調部、復調部等を備える。コントローラは、変調部および復調部を制御する。変調部は、コマンドをＨＦ帯の周波数帯を有する電波に重畳させて、その電波を第１アンテナ１３２に発信させる。また、復調部は、第１アンテナ１３２を介して取得した電波に含まれる情報を復調し、復調した情報（コマンド）を後述する制御部１５０に出力する。
【００２５】
ここで、コントローラは、制御部１５０から、第１媒体Ｍ１の二次元コードＣＤから取得された第１媒体ＩＤを取得し、取得した第１媒体ＩＤと一致する第１媒体ＩＤを有する第１媒体Ｍ１のチップ５０と情報の送受信を行い、第１媒体ＩＤと一致しないＩＤを有するチップとは情報の送受信を中止する。これにより、自動改札機１００は、二次元コードＣＤが印刷された第１媒体Ｍ１と選択的に情報を送受信することができる。
【００２６】
カメラ（撮像部）１４０は、利用者によって対象領域Ａｔｇｔ１に翳された第１媒体Ｍ１の二次元コードＣＤを撮像する。ライト１４２は、カメラ１４０により撮像動作が行われる際に、第１媒体Ｍ１に光を照射する。例えば、リーダライタ１３０は、利用者によって対象領域Ａｔｇｔ１に第１媒体Ｍ１等が近づけられた場合に、オン信号を出力するセンサを有する。カメラ１４０は、センサにより出力されたオン信号を取得した場合に、二次元コードＣＤを撮像する。ライト１４２は、センサにより出力されたオン信号を取得した場合に、カメラ１４０の撮像動作と共に、光を照射する。第１アンテナ１３２は、カメラ１４０の撮像領域、およびライト１４２が光を照射する領域を遮らない位置に設けられる。
【００２７】
光学読取部は、第１通信部１３６が接続された第１アンテナ１３２と重畳して設けられている。この場合、第１アンテナ１３２は、カメラ１４０およびライト１４２の光軸を囲むように巻き回される。これにより、カメラ１４０は、第１アンテナ１３２によって撮像領域が遮蔽されることなく、二次元コードＣＤを撮像することができる。
【００２８】
リーダライタ１３０Ｂは、例えば、第２アンテナ１３４と、第２通信部１３８とを備える。第２アンテナ１３４は、例えば、パッチアンテナである。第２アンテナ１３４は、第２媒体Ｍ２のチップ５０に対してＨＦ帯の周波数帯を有する電波を発信することで非接触給電を行うと共に、その電波を用いて第２媒体Ｍ２のチップ５０と無線通信を行う。なお、第１アンテナ１３２および第２アンテナ１３４は、第１媒体Ｍ２のチップ２０および第２媒体Ｍ２のチップ５０と、同一周波数帯で通信を行うがそれぞれ異なるプロトコルによって通信を行う。プロトコルとは、例えば、変調方式等の物理条件、送受信されるデータのどの位置にどのような情報が格納されているか等の情報を規定したものである。
【００２９】
第２通信部１３８は、コントローラや、変調部、復調部等を備える。コントローラは、変調部および復調部を制御する。変調部は、コマンドをＨＦ帯の周波数帯を有する電波に重畳させて、その電波を第２アンテナ１３４に発信させる。また、復調部は、第２アンテナ１３４を介して取得した電波に含まれる情報を復調し、復調した情報（コマンド）を後述する制御部１５０に出力する。
【００３０】
図４は、制御部１５０の機能構成図である。制御部１５０は、例えば、認識部１５２と、通信制御部１５４と、判定部１５６と、通過制御部１５８と、改札機側記憶部１６０とを備える。
【００３１】
認識部１５２、通信制御部１５４、判定部１５６、および通過制御部１５８は、例えば、例えば、ＣＰＵ（Central Processing Unit）等のハードウェアプロセッサがプログラム（ソフトウェア）を実行することにより実現される。また、これらの機能部のうち一部または全部は、ＬＳＩやＡＳＩＣ、ＦＰＧＡ、ＧＰＵ等のハードウェア（回路部；circuitryを含む）によって実現されてもよいし、ソフトウェアとハードウェアの協働によって実現されてもよい。
【００３２】
改札機側記憶部１６０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。改札機側記憶部１６０は、プロセッサが実行するプログラムや、各駅間（または利用距離ごと）の料金が記憶された料金テーブル１６２を格納する他、自機が設置された駅の識別情報や、自機の識別情報、各駅間の距離等を格納する。
【００３３】
認識部１５２は、カメラ１４０により撮像された画像のデータに対してデコード処理を行い、ビット列等で表される、コンピュータが認識可能な情報（電子情報）に変換する。認識部１５２は、第１媒体Ｍ１に表示された二次元コードＣＤに符号化された情報を読み取る。
【００３４】
通信制御部１５４は、待機状態において、光学読取部を動作させ、第１通信部１３６の動作を停止させ、且つ第２通信部１３８を動作させる。この状態を、第２媒体Ｍ２との通信を試行する第１の状態と称する。待機状態とは、例えば、第１媒体Ｍ１も第２媒体Ｍ２も検知されておらず、新規に第１媒体Ｍ１または第２媒体Ｍ２が接近してくるのを待っている状態である。第１通信部１３６の動作を停止させた状態とは、第１通信部１３６がポーリングを行っていない状態である。第２通信部１３８を動作させた状態とは、第２通信部１３８がポーリングを行っている状態である。
【００３５】
待機状態において、第２通信部１３８が第２媒体Ｍ２と通信せずに、光学読取部により第１媒体ＩＤが取得された場合、通信制御部１５４は、第２通信部１３８の動作を停止させるとともに、第１通信部１３６を動作させる。つまり、通信制御部１５４は、第１状態から第１媒体Ｍ１との通信を試行する第２の状態に移行する。そして、制御部１５０は、第１媒体Ｍ１のチップ２０からのレスポンスがなく、通信が成立しない場合には、光学読取部により取得した情報を無視する。また、制御部１５０は、第１通信部１３６と第１媒体Ｍ１との通信が成立した場合に、第１媒体Ｍ１に基づく処理を実行する。また、制御部１５０は、第１媒体Ｍ１のチップ２０からのレスポンスがあり、通信が成立した場合には、光学読取部により取得した二次元コードＣＤから取得した第１媒体ＩＤと、第１通信部１３６によりチップ２０から取得した第１媒体ＩＤとが一致するか否かを判定する。二次元コードＣＤから取得した第１媒体ＩＤと、第１通信部１３６によりチップ２０から取得した第１媒体ＩＤとが一致しない場合には、制御部１５０は、光学読取部により取得した情報を無視し、二次元コードＣＤから取得した第１媒体ＩＤと、第１通信部１３６によりチップ２０から取得した第１媒体ＩＤとが一致する場合には、二次元コードＣＤに記憶された効力情報により、通過可否判定等の制御が実行される。
【００３６】
一方、上記の状態において、第２通信部１３８が第２媒体Ｍ２と通信した場合に、通信制御部１５４は、第１の状態を維持したまま、第２媒体Ｍ２のチップ５０に記憶された情報に基づく処理を実行する。
【００３７】
このように、第１通信部１３６および第２通信部１３８のうち何れか一方を停止させた状態のままで、他方の通信部により媒体と通信を行うことで、第１通信部１３６および第２通信部１３８がともにＨＦ帯で通信する場合の電波の干渉を抑制することができる。したがって、第１媒体Ｍ１および第２媒体Ｍ２に対する安定的な処理を実現することができる。
【００３８】
判定部１５６は、光学読取部、第１通信部１３６、または第２通信部１３８により取得された情報に基づいて、利用者の自動改札機１００の通過可否を判定する。
【００３９】
［入場時］
例えば、判定部１５６は、第１通信部１３６により第１媒体Ｍ１から取得した効力情報に基づいて入場時の通過可否判定を行う場合、効力情報と入場駅の情報とを比較し、効力情報が示す利用可能区間に入場駅が収まっているか否かを判定する。この場合、判定部１５６は、利用可能区間に入場駅が収まっている場合に、利用者の自動改札機１００の通過を許可し、利用可能区間に収まっていない場合に、利用者の自動改札機１００の通過を禁止する。また、判定部１５６は、利用可能区間がＡ駅から○○円まで乗車できるといった利用可能区間である場合に、料金テーブル１６２を参照して乗車駅から降車駅までの区間が、○○円の範囲内であるか否かによって、利用者の通過の可否を判定してもよい。なお、利用者の自動改札機１００の通過が許可される場合には、例えば、第１媒体Ｍ１のチップ２０に入場駅の情報または入場許可フラグ、入場日時等が書き込まれる。
【００４０】
また、判定部１５６は、第２通信部１３８により第２媒体Ｍ２から取得した効力情報に基づいて入場時の通過可否判定を行う場合、効力情報から、入場するための最低料金がチャージされているか否かを判定する。この場合、判定部１５６は、最低料金がチャージされている場合に、利用者の自動改札機１００の通過を許可し、最低料金がチャージされていない場合に、利用者の自動改札機１００の通過を禁止する。なお、利用者の自動改札機１００の通過が許可される場合には、例えば、第２媒体Ｍ２のチップ５０に入場駅の情報または入場許可フラグ、入場日時等が書き込まれる。
【００４１】
［出場時］
また、判定部１５６は、第１通信部１３６により第１媒体Ｍ１から取得した効力情報およびチップ２０から取得した入場駅の情報等に基づいて出場時の通過可否判定を行う場合、効力情報および入場駅の情報と、出場駅の情報とに基づいて、入場駅から出場駅までの区間が効力情報に示す利用可能区間に収まっているか否かを判定する。この場合、判定部１５６は、入場駅から出場駅までの区間が効力情報に示す利用可能区間に収まっている場合に、利用者の自動改札機１００の通過を許可し、利用可能区間に収まっていない場合に、利用者の自動改札機１００の通過を禁止する。
【００４２】
また、判定部１５６は、第２媒体Ｍ２から得られる効力情報および入場駅の情報等に基づいて出場時の通過可否判定を行う場合、効力情報から、入場駅から出場駅までの運賃がチャージされているか否かを判定する。この場合、判定部１５６は、入場駅から出場駅までの運賃がチャージされている場合に、利用者の自動改札機１００の通過を許可し、入場駅からの運賃がチャージされていない場合に、利用者の自動改札機１００の通過を禁止する。
【００４３】
通過制御部１５８は、判定部１５６の判定結果に基づいて、利用者の通過を許可、または禁止する制御を実行する。利用者の通過を禁止する制御をする場合、通過制御部１５８は、扉部１２０を閉止状態にさせたり、表示部１１０に通過の禁止を示す情報を表示させたりする。利用者の通過を許可する制御を行う場合、通過制御部１５８は、扉部１２０を開放状態にさせたり、表示部１１０に通過の許可を示す情報を表示させたりする。
【００４４】
図５は、第１の実施形態の自動改札機１００により実行される処理の流れを示すフローチャートである。まず、通信制御部１５４は、光学読取部を動作させる（ステップＳ１００）。次に、通信制御部１５４は、第１通信部１３６の動作を停止させ（ステップＳ１０２）、第２通信部１３８を動作させる（ステップＳ１０４）。
【００４５】
次に、通信制御部１５４は、光学読取装置により読み取られた二次元コードＣＤから第１媒体ＩＤ等を取得したか否かを判定する（ステップＳ１０６）。二次元コードＣＤから第１媒体ＩＤ等を取得した場合、通信制御部１５４は、第２通信部１３８の動作を停止させ（ステップＳ１０８）、第１通信部１３６を動作させる（ステップＳ１１０）。
【００４６】
次に、通信制御部１５４は、第１媒体Ｍ１との通信が成立したか否かを判定する（ステップＳ１１２）。通信が成立した場合、判定部１５６は、利用者の自動改札機１００の通過を許可するか否かを判定する（ステップＳ１１４）。通過を許可する場合、第１媒体Ｍ１に情報を書き込む（ステップＳ１１６）。例えば、入場処理を行っている場合には、入場駅や入場日時を書き込む。なお、ステップＳ１１６の処理は、入場時に実行され、出場時には実行されない。次に、通過制御部１５８は、扉部１２０を開放状態にして利用者の自動改札機１００の通過を許可する（ステップＳ１１８）。
【００４７】
また、ステップＳ１１２の処理において、第１媒体との通信が成立しなかった場合、または、ステップＳ１１４の処理において、利用者の通過が許可できない場合、通過制御部１５８は、扉部１２０を閉止状態にして利用者の自動改札機１００の通過を阻止する（ステップＳ１２０）。
【００４８】
また、ステップＳ１０６の処理において、二次元コードＣＤから第１媒体ＩＤ等を取得できなかった場合、通信制御部１５４は、第２媒体Ｍ２との通信が成立したか否かを判定する（ステップＳ１２２）。第２媒体Ｍ２との通信が成立していない場合、ステップＳ１０６の処理に戻る。また、第２媒体Ｍ２との通信が成立した場合、通信制御部１５４は、第２媒体Ｍ２から区間情報を取得する（ステップＳ１２４）。次に、判定部１５６は、第２媒体Ｍ２から取得した区間情報に基づいて、利用者の自動改札機１００の通過を許可するか否かを判定する（ステップＳ１２６）。通過を許可する場合、通信制御部１５４は、第２媒体に情報を書き込む（ステップＳ１２８）。例えば、入場処理を行っている場合には、入場駅や入場日時を書き込み、出場処理を行っている場合には、運賃を差し引いた新たなチャージ残高を書き込む。次に、通過制御部１５８は、扉部１２０を開放状態にして、利用者の自動改札機１００の通過を許可する（ステップＳ１３０）。また、ステップＳ１２６において、通過を許可しない場合、通過制御部１５８は、扉部１２０を閉止状態にして通過を阻止する（ステップＳ１３２）。これにより、本フローチャートの処理は終了する。
【００４９】
以上説明したように、第１の実施形態によれば、通信干渉を抑制すると共に、利便性を高めることができる。また、第１媒体Ｍ１および第２媒体Ｍ２に対する安定的な処理を実現できる。
【００５０】
（第２の実施形態）
次に、自動改札機の第２の実施形態について説明する。第２の実施形態では、第１の実施形態の自動改札機１００と比較すると、リーダライタ１３０Ａおよびリーダライタ１３０Ｂを一体型にすると共に、第１通信部１３６と第２通信部１３８が一つのアンテナを共有する。以下では、第１の実施形態の自動改札機１００と同様の機能を備える構成については、同一の名称および符号を用いることとし、具体的な説明は省略する。
【００５１】
［自動改札機］
図６は、第２実施形態の自動改札機１００Ａの外観構成を示す図である。自動改札機１００Ａは、例えば、表示部１１０と、扉部１２０と、リーダライタ１３０Ｃとを備える。
【００５２】
リーダライタ１３０Ｃには、対象領域Ａｔｇｔ３が設けられる。対象領域Ａｔｇｔ３は、二次元コードＣＤに符号化された情報が取得される取得可能領域、および、リーダライタ１３０Ｃと、媒体（第１媒体Ｍ１とおよび第２媒体Ｍ２）が通信できる通信可能領域に包含されるように設けられる。対象領域Ａｔｇｔ３には、例えば、媒体を翳すことを促す情報が表示されていたり、他の領域と区別されるように色彩や模様が付与されていたりする。また、対象領域Ａｔｇｔ３は、他の領域とは異なる高さで（他の領域に比して突出するように）形成されもよいし、照明部が設けられ、その照明部が点灯または点滅してもよい。
【００５３】
また、利用者が、対象領域Ａｔｇｔ３に第１媒体Ｍ１または第２媒体Ｍ２を近づけると、リーダライタ１３０Ｃと近づけた媒体とが通信し、利用者の自動改札機１００Ａの通過可否が判定される。
【００５４】
図７は、図６の矢印Ｙ方向から見たリーダライタ１３０Ｃの内部構成図である。リーダライタ１３０Ｃは、例えば、共有アンテナ１３５と、第１通信部１３６Ａと、第２通信部１３８Ａと、カメラ（撮像部）１４０と、ライト１４２とを備える。
【００５５】
共有アンテナ１３５は、例えば、コイル状のループアンテナである。共有アンテナ１３５は、第１媒体Ｍ１のチップ２０および第２媒体Ｍ２のチップ５０に対してＨＦ帯の周波数帯を有する電波を発信することで非接触給電を行うと共に、その電波を用いて第１媒体Ｍ１のチップ２０および第２媒体Ｍ２のチップ５０と無線通信を行う。共有アンテナ１３５は、第１媒体Ｍ２のチップ２０および第２媒体Ｍ２のチップ５０と、同一周波数帯で通信を行うがそれぞれ異なるプロトコルによって通信を行う。光学読取部は、共有アンテナ１３５と重畳して設けられている。この場合、共有アンテナ１３５は、カメラ１４０およびライト１４２の光軸を囲むように巻き回される。これにより、カメラ１４０は、共有アンテナ１３５によって撮像領域が遮蔽されることなく、二次元コードＣＤを撮像することができる。
【００５６】
第１通信部１３６Ａは、コントローラや、変調部、復調部等を備える。コントローラは、変調部および復調部を制御する。変調部は、コマンドをＨＦ帯の周波数帯を有する電波に重畳させて、その電波を共有アンテナ１３５に発信させる。また、復調部は、共有アンテナ１３５を介して取得した電波に含まれる情報を復調し、復調した情報（コマンド）を後述する制御部１５０に出力する。
【００５７】
第２通信部１３８Ａは、コントローラや、変調部、復調部等を備える。コントローラは、変調部および復調部を制御する。変調部は、コマンドをＨＦ帯の周波数帯を有する電波に重畳させて、その電波を共有アンテナ１３５に発信させる。また、復調部は、共有アンテナ１３５を介して取得した電波に含まれる情報を復調し、復調した情報（コマンド）を後述する制御部１５０に出力する。
【００５８】
第２の実施形態の自動改札機１００Ａにより実行される処理の流れについては、上述した第１の実施形態の自動改札機１００により実行される処理の流れと同様である。
【００５９】
以上説明したように、第２の実施形態によれば、第１媒体Ｍ１と第２媒体Ｍ２とが共有アンテナ１３５を介して自動改札機１００Ａと通信する場合に、第１通信部１３６Ａと第２通信部１３８Ａの動作が切り替わるため、通信干渉を抑制すると共に、利便性を高めることができる。また、第１媒体Ｍ１および第２媒体Ｍ２に対する安定的な処理を実現できる。
【００６０】
以上説明した少なくともひとつの実施形態によれば、自動改札機において、利用者によって翳された第１媒体Ｍ１または第２媒体Ｍ２と通信する通信部（第１通信部１３６、第２通信部１３８）と、利用者によって翳された第１媒体Ｍ１から情報を光学的に読み取る光学読取部（１４０、１４２、１５２）と、通信部によって取得された情報に基づいて、利用者の通過可否を判定する制御部（１５０）と、を持ち、通信部は、光学読取部により情報が読み取られたとき、第２媒体との通信を試行する第１の状態から、第１媒体との通信を試行する第２の状態に移行することにより、通信干渉を抑制すると共に、利便性を高めることができる。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
Ｍ１…第１媒体、Ｍ２…第２媒体、２０、５０…チップ、１００、１００Ａ…自動改札機、１１０…表示部、１２０…扉部、１３２…第１アンテナ、１３４…第２アンテナ、１３５…共有アンテナ、１３６、１３６Ａ…第１通信部、１３８、１３８Ａ…第２通信部、１４０…カメラ、１４２…ライト、１５０…制御部、１５２…認識部、１５４…通信制御部、１５６…判定部、１５８…通過制御部、１６０…改札機側記憶部
【図１】
2019067094.tif 000003
【図２】
2019067094.tif 000004
【図３】
2019067094.tif 000005
【図４】
2019067094.tif 000006
【図５】
2019067094.tif 000007
【図６】
2019067094.tif 000008
【図７】
2019067094.tif 000009